(57)【要約】【課題】フィルムヒンジの応力負担を軽減することが可能な鞘管サポート具を提供すること。【解決手段】鞘管サポート具は、湾曲して形成された半円筒状のサポート本体１１と、サポート本体１１の離間部分に架橋され、第一端部１３ａがフィルムヒンジ１４を介してサポート本体１１に連結されているとともに、第二端部１３ｂがフック１３ｃ、１１ｄを介してサポート本体１１に係合されたゲート１３とを備えている。サポート本体１１においてフィルムヒンジ１４付近の部分には、閉鎖状態にあるゲート１３に対峙する係止壁１５が立設されているとともに、ゲート１３において第一端部１３ａ付近の部分には、ゲート１３の閉鎖状態にて係止壁１５の背後に回り込む当接壁１６が立設されている。【選択図】図３
2017172805.tif 000002
【特許請求の範囲】
【請求項１】
鞘管を湾曲させて延在方向を転換するために用いられる鞘管サポート具であって、湾曲して形成されかつ当該湾曲の外周側が離間した半円筒状のサポート本体と、当該サポート本体の離間部分に架橋され、第一端部がフィルムヒンジを介して前記サポート本体に連結されているとともに、第二端部が係合部を介して前記サポート本体に係合可能なゲートとを備えた鞘管サポート具において、
前記サポート本体において前記フィルムヒンジ付近の部分には、閉鎖状態にある前記ゲートに対峙する係止壁が設けられているとともに、前記ゲートにおいて前記第一端部付近の部分には、当該ゲートの閉鎖状態にて前記係止壁の背後に回り込む当接壁が設けられており、
前記ゲートにおいて前記サポート本体側の面には、前記係合部と前記第一端部との間に、前記鞘管を受ける凹曲面が形成され、
当該凹曲面において、前記第一端部側の縁部には、当該凹曲面を延長するようにして前記当接壁が突設されており、
当該当接壁の先端縁は、前記ゲートの閉鎖状態にて、前記係止壁の背後に回り込むように、外側へ曲折されていることを特徴とする鞘管サポート具。
【発明の詳細な説明】
【技術分野】
【０００１】
本発明は、流体管が挿通される鞘管を、例えば水平位置から垂直状態に立ち上げるために用いられる鞘管サポート具に関する。
【背景技術】
【０００２】
特許文献１の鞘管立ち上がり保持具は、保持具本体と挟持片とを備えている。鞘管が挿通される保持具本体は、湾曲形状でかつ横断面が半円筒形状をなして、鞘管の方向転換部分を押さえている。挟持片は、第一端が保持具本体に軸支されているとともに、第二端がボルトを介して保持具本体に係合されることで、鞘管が保持具本体から離脱することを当接規制している。
このような鞘管立ち上がり保持具にあっては、軸支部分の部品点数が多くなる問題があるため、当該軸支部分をフィルムヒンジに代替することが提案されている。
【先行技術文献】
【特許文献】
【０００３】
【特許文献１】特開平１１−２０１３２８号公報
【発明の概要】
【発明が解決しようとする課題】
【０００４】
ところが、鞘管立ち上がり保持具において方向転換された鞘管及びパイプには、強い弾性力が蓄積されている。したがって、鞘管立ち上がり保持具には、鞘管及びパイプを直線状に復元しようとする大きな力が作用している。このため、鞘管立ち上がり保持具の挟持片には、常に開放方向への力が作用し、特にフィルムヒンジの耐久性が厳しくなる問題があった。
本発明の目的は、フィルムヒンジの応力負担を軽減することが可能な鞘管サポート具を提供すること。
【課題を解決するための手段】
【０００５】
上記目的を達成するために請求項１の発明は、鞘管を湾曲させて延在方向を転換するために用いられる鞘管サポート具であって、湾曲して形成されかつ当該湾曲の外周側が離間した半円筒状のサポート本体と、当該サポート本体の離間部分に架橋され、第一端部がフィルムヒンジを介して前記サポート本体に連結されているとともに、第二端部が係合部を介して前記サポート本体に係合可能なゲートとを備えた鞘管サポート具において、前記サポート本体において前記フィルムヒンジ付近の部分には、閉鎖状態にある前記ゲートに対峙する係止壁が設けられているとともに、前記ゲートにおいて前記第一端部付近の部分には、当該ゲートの閉鎖状態にて前記係止壁の背後に回り込む当接壁が設けられており、前記ゲートにおいて前記サポート本体側の面には、前記係合部と前記第一端部との間に、前記鞘管を受ける凹曲面が形成され、当該凹曲面において、前記第一端部側の縁部には、当該凹曲面を延長するようにして前記当接壁が突設されており、当該当接壁の先端縁は、前記ゲートの閉鎖状態にて、前記係止壁の背後に回り込むように、外側へ曲折されている。
【発明の効果】
【０００６】
本発明によれば、鞘管が直線状に復元しようとする大きな力は、フィルムヒンジ付近においては当接壁が係止壁に当接して分担して受け止められるため、フィルムヒンジの耐久性が向上される。
【図面の簡単な説明】
【０００７】
【図１】一実施形態の鞘管サポート具を示す正面図。
【図２】鞘管サポート具の側面図。
【図３】鞘管サポート具の平面図。
【図４】（ａ）は図１のＡ−Ａ線断面図、（ｂ）は（ａ）においてゲートを開いた状態を示す図。
【発明を実施するための形態】
【０００８】
以下、本発明を具体化した一実施形態について説明する。
図１に示すように、本実施形態の鞘管サポート具は、合成樹脂製の一体成型品である。鞘管サポート具は、例えば建物の床下に設けられたコンクリートスラブ上で水平方向（図面の左右方向）に敷設された鞘管１００を、図示しない床にまで垂直状態に立ち上げるために用いられる。鞘管１００は高密度ポリエチレン製で、例えば蛇腹状をなしている。鞘管１００には、例えばポリブテン製又は架橋ポリエチレン製の給水パイプが挿通されている（図示しない）。
【０００９】
図１〜図３に示すように、前記鞘管サポート具は、サポート本体１１及び脚部１２並びにゲート１３を備えている。サポート本体１１は、水平状態から垂直状態に所定の曲率で湾曲して形成されかつ、当該湾曲の外周側が離間した半円筒状をなしている。脚部１２は、サポート本体１１において、水平状態側つまりコンクリートスラブ側に位置する第一端部１１ａ付近に短い二つが形成され、また当該第一端部１１ａと、垂直状態側つまり床側に位置する第二端部１１ｂとの間に長い二つが形成されている。各脚部１２は平板部１２ａを備え、当該平板部１２ａにはビス孔１２ｂが貫通形成されている。
【００１０】
図４（ａ）及び図４（ｂ）に示すように、前記サポート本体１１の第二端部１１ｂには、当該サポート本体１１の離間部分１１ｃに前記ゲート１３が架橋されている。ゲート１３は、水平方向（図面の上下方向）の第一端部１３ａがサポート本体１１にフィルムヒンジ（薄肉ヒンジ）１４を介して連結されて、当該サポート本体１１の離間部分１１ｃを開閉可能となっている。
【００１１】
前記ゲート１３において、フィルムヒンジ１４とは反対側に位置する第二端部１３ｂには、サポート本体１１に向かってフック１３ｃが突設されている。ゲート１３においてサポート本体１１側の面には、フック１３ｃと第一端部１３ａとの間に、鞘管１００を受ける凹曲面１３ｄが形成されている。当該凹曲面１３ｄにおいてフック１３ｃ側の縁部には、舌状部１３ｅが当該凹曲面１３ｄを延長するようにして突設されている。サポート本体１１において第二端部１１ｂ付近の側縁部には、ゲート１３のフック１３ｃに対峙してフック１１ｄが突設されている。
【００１２】
前記ゲート１３が、図４（ｂ）に示す開放状態から図４（ａ）に示す閉塞状態に回動されると、サポート本体１１のフック１１ｄが、ゲート１３のフック１３ｃと舌状部１３ｅとの間に入り込もうとし、フック１１ｄとフック１３ｃとが弾性変形して互いを乗り越える。この状態では、ゲート１３が開放状態へ回動しようとしても、フック１１ｄとフック１３ｃとが互いに引っ掛かるため、ゲート１３が閉塞状態から離脱することが防止される。本実施形態においては、サポート本体１１のフック１１ｄとゲート１３のフック１３ｃとで、スナップ係合が可能な係合部が構成されている。
【００１３】
図１〜図３に示すように、前記鞘管サポート具は、脚部１２のビス孔１２ｂを介してコンクリートスラブにビス止めで固定されている。この固定状態（ゲート１３は図４（ｂ）の開放状態にあるものとする）にて、コンクリートスラブ上で水平方向に敷設された鞘管１００を、サポート本体１１に挿通しかつ当該サポート本体１１の湾曲に沿わせて方向転換することで、垂直状態に立ち上げる。鞘管１００が垂直状態に立ち上がった状態にて、ゲート１３を開放状態から閉塞状態に回動し、当該ゲート１３の凹曲面１３ｄとサポート本体１１の内面との間において鞘管１００を挟持して、当該鞘管１００が立上った状態を保持するようになっている。そして、当該鞘管１００にパイプを挿通することで、当該パイプが水平方向から垂直状態に立ち上げられて、例えば床から室内へと引き出される。
【００１４】
この鞘管１００の保持状態では、方向転換された鞘管１００及びパイプに強い弾性力が蓄積されることになるため、鞘管サポート具には鞘管１００及びパイプが直線状に復元しようとする大きな力が作用されている。このため、特に鞘管サポート具のゲート１３には、常に開放方向への力が作用されている。
【００１５】
さて、図４（ａ）及び図４（ｂ）に示すように、前記サポート本体１１においてフィルムヒンジ１４付近の部分には、閉鎖状態にあるゲート１３に第一端面１５ａで対峙する係止壁１５が突設されている。当該係止壁１５は、垂直方向に延在するリブ状をなしている。ゲート１３の凹曲面１３ｄにおいて、第一端部１３ａ側の縁部には、当該凹曲面１３ｄを延長するようにして当接壁１６が突設されている。当該当接壁１６の先端縁は、ゲート１３の閉鎖状態にて、係止壁１５の背後である第二端面１５ｂ側に回り込むように、外側へ曲折されている。したがって、鞘管１００及びパイプが直線状に復元しようとする大きな力は、フィルムヒンジ１４付近においては当接壁１６が係止壁１５の第二端面１５ｂに当接して分担して受け止められるため、フィルムヒンジ１４の耐久性が向上される。
【００１６】
本発明は次のように具体化してもよい。
○流体管が挿通される鞘管を、水平状態から同じ水平状態へ方向転換するために用いられる鞘管サポート具において具体化すること。
○ガス管やエア管等の通気管が挿通される鞘管に用いられる鞘管サポート具に具体化すること。
○サポート本体１１及びゲート１３のうちの一方に、凹部又は透孔からなる凹状部を形成して、当該凹状部を構成する肉部を係止壁及び当接壁のうちの一方とし、サポート本体１１及びゲート１３のうちの他方に、ゲート１３の閉鎖状態にて前記凹状部に入り込む凸状部を設けて、当該凸状部を係止壁及び当接壁のうちの他方とすること。
○係合部をネジ止めに具体化すること。
【符号の説明】
【００１７】
１１…サポート本体、１１ｃ…離間部分、１１ｄ…係合部としてのフック、１３…ゲート、１３ａ…第一端部、１３ｂ…第二端部、１３ｃ…係合部としてのフック、１４…フィルムヒンジ、１５…係止壁、１６…当接壁。
【図１】
2017172805.tif 000003
【図２】
2017172805.tif 000004
【図３】
2017172805.tif 000005
【図４】
2017172805.tif 000006